(57)【要約】【課題】扉を間口等の扉取付け口へ枢動開閉可能に取付けるピボット蝶番における軸金具を受け金具に対して容易に着脱可能にする手段を内蔵させたピボット蝶番を得ること。【解決手段】扉１と扉取付け枠２との間で迫り出し位置に扉１の枢動開閉を可能に掛け渡すピボット蝶番８、９において、少なくとも一組の軸金具４、受け金具６におけるそのピボット軸4eを軸ケース４dの内部に向けて付勢ばね手段２５に抗して退動変位させるピボット軸4eの退動手段２０を外ケース１１内に設け、ピボット軸退動手段２０をその外ケース１１の外部から作動可能に構成した。【選択図】図３
2005350993.tif 000002
【特許請求の範囲】
【請求項１】
一端にピボット部を、他端に座金部を具備したピボット軸を軸ケース内に所定の軸心方向に出退変位可能に設けると共に前記ピボット部を常に前記軸ケースの一端から突出方向側へ付勢するばね手段を内挿して成る軸本体部を外ケースに収納すると共に前記軸本体部又は外ケースに取着された取り付けフランジを備えた軸金具と、前記軸金具の前記ピボット軸におけるピボット部を受承する受け金具とを一組にして具備することにより構成され、その二組を扉の上方端部領域及び下方端部領域と扉枠における対応の各扉取着部との間に掛け渡して設けられ、前記軸心回りの扉開閉作動用に配設されるピボット蝶番において、
少なくとも前記一組の軸金具、受け金具における前記ピボット軸を前記軸ケースの内部に向けて前記付勢ばね手段の付勢力に抗して退動変位させるピボット軸の退動変位手段を前記外ケース内に設け、該ピボット軸の退動変位手段をその外ケースの外部から作動可能に構成したことを特徴とするピボット蝶番。
【請求項２】
前記ピボット軸の退動変位手段は、前記ピボット軸の座金部に一端を係止して前記軸ケースの外側において前記ピボット軸と一体に移動可能に設けた歯付き作動板と、該作動板の歯に噛合した駆動車とを具備して構成され、前記駆動車に穿設された操作孔を介して前記外ケースの外部から該駆動車を作動操作することにより、前記作動板と共に前記ピボット軸のピボット部を退動変位させ得るようにした請求項１に記載のピボット蝶番。
【請求項３】
前記作動板は内歯ラック部を有し、該内歯ラック部に噛合するピニオン歯を前記駆動車に形成し、該駆動車に工具差込孔を前記操作孔として形成した請求項２に記載のピボット蝶番。
【請求項４】
前記外ケースは、前記駆動車の工具差込孔に工具を外部から差し込むことを可能にする閉鎖可能な開口を有した請求項３に記載のピボット蝶番。
【発明の詳細な説明】
【技術分野】
【０００１】
本発明は、扉取付け枠に対する扉の枢動開閉を常に円滑かつ大きな開閉角度に渡って安定に保持することができると共に扉取付け枠に対して扉の取付けと取外しの作業遂行を効率的に達成可能にする主として開き戸式の扉に適用されるピボット蝶番に関する。
【背景技術】
【０００２】
建物の間口やパネル部材による仕切り領域の出入口部分において大きな開度で開き扉を開閉させるべく、扉枠に扉を縦軸心回りに枢着支持するピボット蝶番は従来から多用され、殊に扉を閉扉状態から縦軸心回りに180度まで開扉可能とするために扉支持具としてのピボット蝶番の軸部材と受け穴部材とが係合した蝶番軸位置を扉の前方へ迫出させた形式のものが近時は多用されている。
【０００３】
このようなピボット蝶番は、扉を扉枠に取付けた状態で開扉、閉扉の円滑作  動を確保するために扉の位置調整を容易に遂行可能であることが求められ、  また間口数の多い建物や仕切り領域に多数の出入口を有する場合等の扉の取  付け、取外し作業の効率化を図るために、扉取外し、取付けを簡単化する操  作性の良い操作手段の提供が求められる。
【０００４】
前者の扉位置調整手段に関しては、既に本出願人は、特願２００３−０５９  ５０２号等に扉の上方部に設けた上側ピボット蝶番の軸部材および扉下側に  設けた下側ピボット蝶番の受け穴部材がそれぞれ扉面に沿う左右調整ねじに  より左右方向に調節可能に配置し、扉の閉扉状態下で扉取付け位置を左右に  調整可能としたものを提案、提供している。
【０００５】
また、特開平９−２０９６４１号公報は、取付け及び位置調整を容易にし、  取付け後の動作を円滑化するために球状体を内蔵した蝶番可動部材を備え、  直交配置の調整ねじ等で可動部材を平面的に調整可能にしつつ同じく蝶番内  部に配設された調整部材の支持調整ねじで調整される内部リングを球状体に  被せて扉側本体を支持させるピボット蝶番の構造とすることで、三つの調整  ねじによって三次元位置調整を可能とすることから、扉や扉枠への蝶番取付  け操作の簡便化をも図ったものを開示している。
【０００６】
しかしながら、上述した従来のピボット蝶番は、内部に球状体部材を備える  ことによって、ピボット蝶番の三次元位置調整機能を確保し、かつ球面接触  部を有することで、扉の離れた2箇所にピボット蝶番を取付ける場合にも取  付け作業の容易化が図れる利点はあるが、球状体を主部材とする構造は、ピ  ボット蝶番のコスト高を招来し易く、従ってよりコスト効果の高い取付け、  取外し容易化手段として提供されると共に扉の取付け、取外し作業性におい  ても作業者がその簡便性を実感することのできる構造を備えたピボット蝶番  の提供が要請されている。
【特許文献１】特開平９−２０９６４１号公報
【発明の開示】
【発明が解決しようとする課題】
【０００７】
依って、本発明は、扉枠に対する扉の開閉作動用ピボット蝶番において、蝶  番のピボット軸部材と受け穴部材との間の係合取付け及び係合解除を外部操  作で容易に遂行可能にして扉と扉枠間の取付け、取外しをも簡便化し得る手  段を内蔵した扉のピボット蝶番を提供せんとするものである。
【課題を解決するための手段】
【０００８】
上述した課題を解決すべく、本発明は、一端にピボット部を、他端に座金部を具備したピボット軸を軸ケース内に所定の軸心方向に出退変位可能に設けると共に前記ピボット部を常に前記軸ケースの一端から突出方向側へ付勢するばね手段を内挿して成る軸本体部を外ケースに収納すると共に前記軸本体部又は外ケースに取着された取付けフランジを備えた軸金具と、前記軸金具の前記ピボット軸におけるピボット部を受承する受け金具とを一組にして具備することにより構成され、その二組を扉の上方端部領域及び下方端部領域と扉枠における対応の各扉取着部との間に掛け渡して設けられ、前記軸心回りの扉開閉作動用に配設されるピボット蝶番において、少なくとも上記一組の軸金具、受け金具におけるそのピボット軸を上記の軸ケースの内部に向けて上記付勢ばね手段に抗して退動変位させるピボット軸の退動手段を上記外ケース内に設け、該ピボット軸退動手段をその外ケースの外部から作動可能に構成したことを特徴とするピボット蝶番を提供するものである。
【０００９】
上述した構成を有したピボット蝶番とすれば、扉を例えば建物の間口の扉取付け枠に装着する際や、所望に応じて扉を取り外す際に、ピボット蝶番におけるピボット軸の退動変位手段を有した一組の軸金具及び受け金具における該軸金具の外ケースに予め設けた操作開口から例えば通常のドライバ工具等で退動変位手段を作動させ、ピボット軸のピボット部を軸ケース内部に向けて退動変位させれば、扉取付け時には受け金具のピボット受け孔へ目視でピボット軸の軸心を位置合わせしてから工具を外すようにすれば、ピボット軸が付勢ばねから戻り力を受けてピボット受け孔へ突出して係合する。また、扉取外し時には、同じくピボット軸のピボット部を退動変位手段で退動させた上で扉を扉の取付け枠から引き抜くようにすれば、容易にピボット蝶番の軸金具と受け金具とを解離させ、扉の取外しを達成することができる。つまり、扉の扉取付け枠に対する着脱操作を外部から所望に応じて作業者が簡単に遂行可能となる効果を奏するのである。
【００１０】
好ましくは、上記ピボット軸の退動変位手段は、上記ピボット軸の座金部に一端を係止して前述の軸ケースの外側においてピボット軸と一体に移動可能に設けた歯付き作動板と、その作動板の歯に噛合した駆動車とを具備して構成され、上記の駆動車に穿設された操作孔を介して上記外ケースの外部から駆動車を作動操作することにより、上記作動板と共に上記ピボット軸のピボット部を退動変位させ得るように構成する。
【００１１】
このような歯付き作動板と、その歯に噛合する駆動車により構成されるピボット軸の退動変位手段を設け、その駆動車を外部から操作して作動板共々ピボット軸を退動変位させるようにすれば、少ない部品点数の機械的要素の導入で、ピボット軸の軸心方向の移動変位を駆動させて扉の取付け操作や取外し操作を簡易作業化する手段が実現されることになる。
【００１２】
また、好ましくは、上記の作動板は内歯ラック部を有し、その内歯ラック部に噛合するピニオン歯を上記の駆動車に形成し、同駆動車に工具差込孔を前記操作孔として形成した構成とする。このようにすれば、作動板とピニオン車を機械的な製造方法、例えば、近時に多用される電極型やワイヤ電極を用いた放電加工方法などで簡単、安価に製造することができる。
【００１３】
更に、上記の外ケースは、上記駆動車のプラスねじ孔等として形成された工具差込孔に工具を外部から差し込むことを可能にすると共に閉鎖可能な開口を有した構成とすることが好ましい。
【００１４】
軸金具の外ケースは、上述の駆動車の工具差込孔に工具を外部から差し込むことを可能にし、かつ閉鎖可能な開口を有した構成とすれば、外ケースに形成した開口は、外部からの操作口であるとともに作業終了後には例えば、閉鎖ねじ蓋等で閉鎖しておけば、外部からピボット蝶番内部へ塵埃等が侵入するのを防止し、又外観の美麗性を確保し、加えていたずらの防止効果等も奏することとなる。以下に、かかる本発明を添付の図面に示す好ましい実施形態に従って更に詳細に説明する。
【発明を実施するための最良の形態】
【００１５】
以下に記載する本発明の実施の形態は、典型的な好実施例を示すのみであり、本発明がこれに限定されるものでないことは言うまでもない。
さて、図1は扉取付け枠に対して扉の上方端領域及び下方端領域から迫出した位置に扉回動軸心を有する本発明によるピボット蝶番を設けた典型的名実施形態を略示的に示した扉取付け要部の斜視図であり、図2は、図1に示した本発明に係るピボット蝶番の軸金具を示し、特にピボット部の退動手段を備えた構成例を示した斜視図、図3は、図2に示した軸金具の分解斜視図、図4(イ)、(ロ)は、ピボット部の退動手段を構成するピニオン駆動車の形状、構造例を示した正面図及び側面図である。
【００１６】
なお、図1に示された上下のピボット蝶番は、どちらも軸金具と受け金具との係合が解除された状態で図示されて扉が扉取付け枠に対して空中にあたかも浮いた状態に保持されているが、これは上下の軸金具、受け金具の構成を明瞭にする意図で示したものに過ぎない。故に上下のピボット蝶番の両者が係合された状態では扉が扉取付け枠に略隙間なく或いは所望の上隙間又は下隙間を確保しながら取付けられるものと理解すれば良い。
【００１７】
上述した実施形態では、扉1の上端部領域に装着されピボット蝶番８が、以下に詳述する本発明の特徴に係るピボット軸退動手段を備えた軸金具４として形成され、扉１の下端部領域に装着されたピボット蝶番９に就いては、上述のようなピボット軸の退動手段を備えていない場合が示されている。
【００１８】
まず、扉１の下端部領域と扉取付け枠２との間で迫出し位置に掛け渡したピボット軸蝶番９を見ると、軸金具５は、扉取付け枠２の迫出し位置、例えば、床面等にねじボルト５a、５aによって取付け座金５bを介して固定され、ピボット軸５cを有している。また、この軸金具５に対応した受け金具７は扉１の下端部領域にねじボルト７a、７aによって座金部位７bを介して固定され、軸箱部位７cの先端部分には、軸金具５のピボット軸５cが突入、受承される受け孔部材７dが組み込まれている。そして、扉1の取付け時にはピボット軸５cが受け孔部材７dの受け孔（図に現れない）に嵌合して同ピボット軸５cの軸心回りに扉１の回動による開閉作動を許容する構成となっている。
【００１９】
ここで、軸金具５のピボット軸５cは、その軸心方向にも左右前後にも固定された状態で設けられているため、受け金具７の受け孔部材７dが図示されていない部位に設けた調節手段でピボット軸５c中心と受け孔中心が、扉１の取付け完了時には同心となるように例えば、本出願人による特願２００３−５９５０２号に開示の調節手段で調節可能に形成されていると理解すれば良い。
【００２０】
他方、扉１の上端部領域と扉取付け枠２との間で迫出し位置に掛け渡したピボット軸蝶番８を見ると、扉取付け枠２の側に受け金具６がねじボルト６aにより取付け座金６bを介して取付けられており、このとき軸箱部位６cが迫出し位置に在ってその先端部位に軸用の受け孔部材６dを備え、この受け孔部材６dの下面には図示に現れない受け孔を有して軸金具4側のピボット軸を受承する構成となっている。
【００２１】
上記の受け金具６に対向した軸金具４は、扉１の例えば上端面に取付け座金４bを介してねじボルト４aによって固定、取着される構成を有している。この場合に、取付け座金４bは、扉取付け枠２の予め設定された又は予め指定された位置に取付けることで軸金具４との同心性を略確保できる構成が採られている。
【００２２】
また、軸金具４は、扉１の上端面にその取付け座金４bが、取付け用のねじボルト４aや位置決めピン４cで固定され、この取付け座金４bの先端部位に軸ケース４ｄが保持されている。そして、この軸ケース４ｄにはピボット軸４eが設けられ、同ピボット軸４eの先端が後述のように、ピボット部４fを成して受け金具６の受け孔部材６d に突入、係合して扉１の枢動回転を可能にする構成となっている。
【００２３】
ここで、軸金具４の軸ケース４ｄは、外ケース１１の内部に収納されており、この外ケース１１と上記軸ケース４ｄとの間に上記ピボット軸４e におけるピボット部４f をその軸心方向において受け金具６側へ突出変位する方向とその突出状態から退動変位する方向との二方向へ変位可能とする手段が設けられているのである。すなわち、本発明の特徴とするピボット軸４e の退動変位用の手段が設けられているのであるが、その詳細な構成は、以下に図２〜図４を参照して詳述する。
【００２４】
ここで、図1を再び参照すると、外ケース４には、既述した軸ケース４ｄを介してピボット軸４eのピボット部４fの軸心を受け金具６の受け孔部材６dと一致させるべく調節する手段としてねじボルトを介して該軸ケース４ｄを外ケース１１の外から調節して変位させ、上記同心状態の確保する手段の操作孔１１aが設けられ、外ケース１１の外部から調節操作を実行し得るが、その詳細な構成は、既述した本出願人の特願２００３−５９５０２号に開示されているものと理解すれば良い。
【００２５】
また、外ケース１１には、ピボット軸４eの退動変位を操作するための操作孔１１bも設けられ、例えば、図示のドライバ工具３０等を駆使して操作可能になっている。また、必要に応じて、前者の操作孔１１a、後者の操作孔１１bをねじ孔構造で予め構成し、外部からねじ付き蓋４０でこれらの操作孔１１a、１１bを閉鎖し得る構成を設けておいても良い。
【００２６】
ここで図２を参照すると、上述した扉１の上端部領域に設けられたピボット蝶番８を取りだし図示した透視斜視図が示されており、同図２から理解できるように、ピボット軸４eは常時は、後述する付勢ばねのばね押圧力を受けて図示の突出状態の位置へ突出せしめられており、他方、軸ケース４ｄと外ケース１１との間には、ピボット軸４eの突出したピボット部４fを軸ケース４ｄの内部に向けて退動変位させるための退動変位手段２０が設けられている。
【００２７】
この退動変位手段２０は軸ケース４dと外ケース１１との間に設けられており、その構成を図３をも共に参照して詳細に説明する。
すなわち、図3は、軸金具４を分解図示している。
さて、図2、図3を参照すると、軸ケース４ｄの内部においては、ピボット軸４eが、ピボット部４fに連続した軸胴４ｈ、その軸胴４ｈの一部に形成されたばね座４ｊを具備し、更に延長して軸ケース４ｄの底面を貫通した下端に座金部４ｇを具備している。そして、軸ケース４ｄの内部には、その内部底面と上記のたばね座４ｊとの間に付勢ばね２５が配設されてピボット軸４eを軸ケース４ｄの外部に向けて押圧、付勢し、ピボット部４ｆを相手の受け金具６の受け孔部材６ｄ側へと突出、付勢しているのである。
【００２８】
軸ケース４ｄは、取付け座金４bの延長部で形成された箱体状のブラケット１４における左右腕１４a、14a（片方だけが図２に現れている）と下板１４bとによって包囲、保持され、しかもその下板１４ｂの先端が軸ケース４ｄの外底面を支持するように延在している。
他方、軸ケース４ｄの端面に沿って外ケース１１の内壁面との間に介挿した略L字形をした作動板２１が設けられ、その作動板２１の横板２２が上記のブラケット１４の下板１４bとピボット軸４eの座金部４ｇとの間に挟持された構成で配置されると共に縦板２３には内歯２４としてラック歯が刻設された縦溝２６が穿設されている。そして、その縦溝２６の内歯２４に噛合させてピニオン車２７は、その軸心位置が外ケース１１に形成した操作孔１１ｂの軸心に略一致する地点に在るように噛合位置が選定されて外ケース１１と軸ケース４ｄとの間に挟持され、しかも常時は、作動板２１にピニオン車２７を噛合させた状態のとき、ピボット軸４eのピボット部４ｆは軸ケース４ｄから付勢ばね２５のばね付勢力を受けて突出状態を維持するように配設されている。
【００２９】
ピニオン車２７の詳細な構造は、図4の(イ)、(ロ)に正面図、側面図として図示されており、作動板２１の内歯２４に噛合するピニオン歯２８と作動口３０を有した筒部２９とを備えた構造を有している。その作動口３０には、外ケース１１の操作孔１１ｂを介して適宜の工具などで外部からピニオン車２７を回動させる際にドライバなどの適宜工具を差込んでピボット軸４eの退動変位を起動させるものである。そして、上述した内歯２４を有する作動板２１とピニオン歯２８を有したピニオン車２７とを構成要素として既述のピボット軸４eの退動変位手段２０が構成されているのである。
【００３０】
以上の構成からなる本発明の実施形態に係るピボット蝶番は、扉１を扉取付け枠２等に取付けたり或いは取付け済みの扉１を取り外す際に、ピボット蝶番８における軸金具４のピボット軸４eを、退動変位手段２０を形成する作動板２１、ピニオン車２７における後者のピニオン車２７をその作動口３０に外ケース１１の操作口１１ｂから適宜の工具を差し込んで回動、駆動すれば、作動板21が図3に矢印Ｓの下向き方向に移動し、それに伴って軸ケース４ｄ内部に向けてピボット軸４eのピボット部４fが矢印Ｔで示す方向の下向きに退動変位して受け金具６の受け孔部材６ｄに形成された受け孔とは解離状態を維持するので、扉１を取付ける操作、扉１を取り外す操作の何れもが容易に遂行し得るのである。なお、図２、図3において、取付け座金４bに形成された貫通孔４kは、取付け固定用のねじボルトや位置決めピン等が挿通されるものである。
【００３１】
なお、上述の実施形態では、ピボット軸が付勢ばねで突出した位置から退動変位されるピボット蝶番は、扉の上端部領域に設けた軸金具に退動変位手段を設けて、扉の上端側の取付け、取外しを容易にする構成としたが、これとは反対に扉の下端部領域に軸金具を装着した構成とし、その軸金具に本発明に係るピボット軸の退動変位手段を内蔵させる実施形態の構成としても良い。更に、必要に応じて、扉の上下端部の領域両者に本発明に係る退動変位手段を内蔵したピボット蝶番を設ける実施形態の構成としても良い。
【図面の簡単な説明】
【００３２】
【図１】扉取付け枠に対して扉の上方端領域及び下方端領域から迫出した位置に扉回動軸心を有する本発明によるピボット蝶番を設けた典型的名実施形態を略示的に示した扉取付け要部の斜視図、
【図２】図1に示した本発明に係るピボット蝶番の軸金具を示し、特にピボット部の退動手段を備えた構成例を示した斜視図、
【図３】図2に示した軸金具の分解斜視図、
【図４】(イ)、(ロ)は、ピボット部を、退動手段を構成するピニオン駆動車の構造例を示した正面図と側面図。
【符号の説明】
【００３３】
1:   扉
1a:  扉面
2:   扉取付け枠
4:   軸金具
4a:  ねじボルト
4b:  取付け座金
4c:  位置決めピン
4d:  軸ケース
4e:  ピボット軸
4f:  ピボット部
4g:  座金部
4h:  軸胴
4j:  たばね座
４k: 貫通孔
5:   軸金具
5a:  ねじボルト５
5b:  取付け座金
5c:  ピボット軸
6:   受け金具
6a:  ねじボルト
6b:  取付け座金
6c:  軸箱部位
6d:  受け孔部材
7:   受け金具
7a:  ねじボルト
7b:  座金部位
7c:  軸箱部位
7d:  受け孔部材
8:   ピボット蝶番
9:   ピボット蝶番
11:  外ケース
11a: 操作孔
11b: 操作孔
20:  退動変位手段
21:  作動板
22:  横板
23:  縦板
24:  内歯
25:  付勢ばね
26:  縦溝
27:  ピニオン車
28:  ピニオン歯
29:  筒部
30:  作動口
35:  ドライバ工具
40:  ねじ蓋
【図１】
2005350993.tif 000003
【図２】
2005350993.tif 000004
【図３】
2005350993.tif 000005
【図４】
2005350993.tif 000006